(57)【要約】【課題】タッチペンまたは指による二つの操作モードを有するデュアルモードタブレットにおける信号検出および切換方法を提供する。【解決手段】マイクロプロセッサは、電磁誘導モードを実行する際、電磁誘導モジュールをアンテナモジュールに接続させ、電磁誘導モジュール中に電磁誘導信号を受信すると、電磁誘導モジュールを継続し、電磁誘導信号の有無を探知し、電磁誘導信号が入力されていない場合、電磁誘導モジュールの実行を停止し、タッチ感応モードに転換する。マイクロプロセッサは、タッチ感応モードを実行する際、順番にアンテナモジュールをタッチ感応モジュールまたは電磁誘導モジュールの任意の一つに接続し、タッチ入力信号または電磁誘導信号を受信するが、第２のループ中に電磁誘導信号を受信した場合、タッチ感応モードに切り換え、電磁誘導信号を受信する。【選択図】図７
2013069270.tif 000002
【特許請求の範囲】
【請求項１】
アンテナモジュールと、
前記アンテナモジュールに選択的かつ電気的に接続し、電磁誘導信号を受信する電磁誘導モジュールと、
前記アンテナモジュールに選択的かつ電気的に接続し、タッチ感応信号を受信するタッチ感応モジュールと、
前記電磁誘導モジュールおよび前記タッチ感応モジュールに電気的に接続し、前記電磁誘導モジュールおよび前記タッチ感応モジュールから任意に１つを選択し、前記アンテナモジュールに接続するマイクロプロセッサと、を含み、
前記マイクロプロセッサが電磁誘導モードを実行する際、前記電磁誘導モジュールを前記アンテナモジュールに接続させ、前記マイクロプロセッサが電磁誘導モード中に電磁誘導信号を受信すると、電磁誘導モードを継続し、電磁誘導信号の有無を探知し、電磁誘導信号が入力されていない場合、前記マイクロプロセッサが電磁誘導モードの実行を停止し、タッチ感応モードに転換し、
前記マイクロプロセッサがタッチ感応モードを実行する際、前記マイクロプロセッサが順番に前記アンテナモジュールを前記タッチ感応モジュールまたは前記電磁誘導モジュールの任意の一つに接続し、タッチ入力信号または電磁誘導信号を受信するが、前記マイクロプロセッサが第２のループ中に電磁誘導信号を受信した場合、前記マイクロプロセッサがタッチ感応モードに切り換え、電磁誘導信号を受信することを特徴とするデュアルモードタブレット。
【請求項２】
前記アンテナモジュールは、少なくとも一つの第１方向信号線および少なくとも一つの第２方向信号線を、さらに含むことを特徴とする請求項１に記載のデュアルモードタブレット。
【請求項３】
前記アンテナモジュールは、第１方向信号切換装置および第１方向信号連接ユニットをさらに含み、前記第１方向信号線の両方の端部がそれぞれ前記第１方向信号切換装置および前記第１方向信号連接ユニットに電気的に接続し、前記第１方向信号連接ユニットは複数の前記第１方向信号線から少なくとも二本の信号線を選択し、選択した信号線を短絡させることを特徴とする請求項２に記載のデュアルモードタブレット。
【請求項４】
前記電磁誘導モジュールは、第２方向信号切換装置および第２方向信号連接ユニットをさらに含み、前記第２方向信号線の両方の端部がそれぞれ前記第２方向信号切換装置および前記第２方向信号連接ユニットに電気的に接続し、前記第２方向信号連接ユニットは複数の前記第２方向信号線から少なくとも二本の信号線を選択し、選択した信号線を短絡させることを特徴とする請求項２に記載のデュアルモードタブレット。
【請求項５】
電磁誘導モードおよびタッチ感応モードを有するデュアルモードタブレットに用いられる信号検出方法及び切換方法であって、
マイクロプロセッサがアンテナモジュールを電磁誘導モジュールに接続して電磁誘導信号を受信するステップと、
前記マイクロプロセッサが電磁誘導信号を受信した後、タッチ感応モードが実行するステップと、
タッチ感応モードにおいて、前記マイクロプロセッサが順番に前記アンテナモジュールをタッチ感応モジュールまたは電磁誘導モジュールの任意の一つに接続してタッチ感応信号または電磁誘導信号を受信するステップと、
タッチ感応モードにおいて、電磁誘導信号の受信と同時に前記マイクロプロセッサが電磁誘導モードに切り換え、電磁誘導信号の受信が終了すると、タッチ感応モードに戻すステップと、
タッチ感応モードにおいて、タッチ感応信号の受信が終了すると、電磁誘導モードを実行するステップと、を含むことを特徴とするデュアルモードタブレットの信号検出方法及び切換方法。
【請求項６】
前記電磁誘導モードにおいて、前記マイクロプロセッサが電磁誘導信号の受信を完了したと判断する方法は、
前記マイクロプロセッサが第１のループでの電磁誘導信号の受信の有無を判断することと、
前記マイクロプロセッサが電磁誘導信号の受信後、前記第１のループを繰り返し、前記第１のループ終了後、新たに電磁誘導信号を受信しなかったと判断することを、さらに含むことを特徴とする請求項５に記載のデュアルモードタブレットの信号検出方法及び切換方法。
【請求項７】
前記タッチ感応モードにおいて、前記マイクロプロセッサがタッチ感応信号の受信を完了したと判断する方法は、
前記マイクロプロセッサが第２のループでの電磁誘導信号またはタッチ感応信号の受信の有無を判断することと、
前記マイクロプロセッサが電磁誘導信号の受信後、前記第１のループを行い、前記第１のループ終了後、新たに電磁誘導信号を受信しなかったと判断することを、さらに含むことを特徴とする請求項５に記載のデュアルモードタブレットの信号検出方法及び切換方法。
【請求項８】
前記タッチ感応モードにおいて、前記マイクロプロセッサがタッチ感応信号の受信を完了したと判断する方法は、
前記マイクロプロセッサが第２のループでの電磁誘導信号またはタッチ感応信号の受信の有無を判断することと、
前記マイクロプロセッサが電磁誘導信号の受信後、前記第２のループの残り時間を計測し、同時に前記第１のループを行い、前記第１のループ終了後、新たに電磁誘導信号を受信しなかったと判断することと、
前記マイクロプロセッサが前記第１のループから前記第２のループに戻り、前記第２のループが終了するまで、前記第２のループの残り時間に基づいて電磁誘導信号またはタッチ感応信号の受信の有無の探知を継続すること、をさらに含むことを特徴とする請求項５に記載のデュアルモードタブレットの信号検出方法及び切換方法。
【発明の詳細な説明】
【技術分野】
【０００１】
本発明は、タブレットとその信号検出方法及び切換方法に関し、特に、デュアルモードタブレットとその信号検出方法及び切換方法に関する。
【背景技術】
【０００２】
テクノロジーの迅速な発展によりマルチタッチ操作のＨＭＩ(ヒューマンマシーンインターフェースHuman Machine Interfaceの略)の生産が加速された。マルチタッチ操作は、独立したデジタルタブレットに用いられるだけでなく、ディスプレイにも用いることができる。また、マルチタッチ操作は、ペンタッチ操作および指タッチ操作に分けることができる。ペンタッチ操作は、デジタルタブレットとペンとの間の電磁変化によりその対応する位置を検出する。指タッチ操作は、デジタルタブレットに指が触れた時に発生する静電容量変化によりその対応する位置を検出する。
【０００３】
図１を参照する。図１は、従来技術によるデュアルモードタブレットの構造を示すブロックである。図１に示すように、従来技術によるデュアルモードタブレット１００は、電磁誘導信号受信モジュール１１１およびタッチ感応モジュール１２１を有する。ユーザーは、ディスプレイ上でペンタッチ操作または指タッチ操作により直接的に操作することができる。
【０００４】
従来技術によるデュアルモードタブレット１００は、上記の長所を持ち合わせていながら、生産および修理に問題点があった。従来技術によるデュアルモードタブレット１００は、複数のアンテナモジュール１１２、電磁誘導信号受信モジュール１１１、タッチ感応モジュール１２１、処理ユニット１３１、ディスプレイユニット１４１およびディスプレイドライバ１５１からなる。処理ユニット１３１は、電磁誘導信号受信モジュール１１１およびタッチ感応モジュール１２１を切り換えて電磁誘導信号またはタッチ信号を受信する。ディスプレイのあるデバイスが損傷した場合、デュアルモードタブレット１００をまるごと修理に出さなければならず、デュアルモードタブレット１００のコストが上昇し、修理費も高くなってしまう。
【０００５】
本発明のデュアルモードタブレットは、以上の短所を改善するものである。
【０００６】
なお、ペン等を用いてデータ入力可能なタッチパネルを備えた入力表示装置として、例えば特許文献１に開示されたものがあり、また２本の指等を用いてマルチタッチ操作する入力装置として、例えば特許文献２に開示されたものがある。
【先行技術文献】
【特許文献】
【０００７】
【特許文献１】特開２００５−０３１８０５号公報
【特許文献２】特開２０１２−０５３７３８号公報
【発明の概要】
【発明が解決しようとする課題】
【０００８】
本発明の目的は、タッチペンまたは指による二つの操作モードを有するデュアルモードタブレットとその信号検出方法及び切換方法を提供することにある。
【課題を解決するための手段】
【０００９】
本発明の一態様のデュアルモードタブレットは、アンテナモジュールと、前記アンテナモジュールに選択的かつ電気的に接続し、電磁誘導信号を受信する電磁誘導モジュールと、前記アンテナモジュールに選択的かつ電気的に接続し、タッチ感応信号を受信するタッチ感応モジュールと、前記電磁誘導モジュールおよび前記タッチ感応モジュールに電気的に接続し、前記電磁誘導モジュールおよび前記タッチ感応モジュールから任意に１つを選択し、前記アンテナモジュールに接続するマイクロプロセッサと、を含み、前記マイクロプロセッサが電磁誘導モードを実行する際、前記電磁誘導モジュールを前記アンテナモジュールに接続させ、前記マイクロプロセッサが電磁誘導モード中に電磁誘導信号を受信すると、電磁誘導モードを継続し、電磁誘導信号の有無を探知し、電磁誘導信号が入力されていない場合、前記マイクロプロセッサが電磁誘導モードの実行を停止し、タッチ感応モードに転換し、前記マイクロプロセッサがタッチ感応モードを実行する際、前記マイクロプロセッサが順番に前記アンテナモジュールを前記タッチ感応モジュールまたは前記電磁誘導モジュールの任意の一つに接続し、タッチ入力信号または電磁誘導信号を受信するが、前記マイクロプロセッサが第２のループ中に電磁誘導信号を受信した場合、前記マイクロプロセッサがタッチ感応モードに切り換え、電磁誘導信号を受信する。
【００１０】
本発明の一態様のデュアルモードタブレットの信号検出方法及び切換方法は、電磁誘導モードおよびタッチ感応モードを有するデュアルモードタブレットに用いられる信号検出方法及び切換方法であって、マイクロプロセッサがアンテナモジュールを電磁誘導モジュールに接続して電磁誘導信号を受信するステップと、前記マイクロプロセッサが電磁誘導信号を受信した後、タッチ感応モードが実行するステップと、タッチ感応モードにおいて、前記マイクロプロセッサが順番に前記アンテナモジュールをタッチ感応モジュールまたは電磁誘導モジュールの任意の一つに接続してタッチ感応信号または電磁誘導信号を受信するステップと、タッチ感応モードにおいて、電磁誘導信号の受信と同時に前記マイクロプロセッサが電磁誘導モードに切り換え、電磁誘導信号の受信が終了すると、タッチ感応モードに戻すステップと、タッチ感応モードにおいて、タッチ感応信号の受信が終了すると、電磁誘導モードを実行するステップと、を含む。
【発明の効果】
【００１１】
本発明のデュアルモードタブレットとその信号検出方法及び切換方法によれば、一つのアンテナモジュールを介することにより、同時にタッチペンおよび指の入力信号を受信することができる。これにより、二つの異なる入力方式が必要とするデバイス、製造コストおよび修理コストを削減することができる。
【図面の簡単な説明】
【００１２】
【図１】従来技術によるデュアルモードタブレットの構造を示すブロックである。
【図２】本発明の一実施形態によるデュアルモードタブレットの構造を示すブロック図である。
【図３】本発明の一実施形態の第１方向の信号線および第２方向の信号線を示す図である。
【図４】本発明の一実施形態の第１方向の信号線、第１方向の信号切換装置および第１方向の信号連接ユニットを示す図である。
【図５】本発明の一実施形態の電磁誘導モードの信号受信動作を示す図である。
【図６】本発明の一実施形態のタッチ感応モードの信号受信動作を示す図である。
【図７】本発明の一実施形態の工程を示す流れ図である。
【図８】本発明の一実施形態のモード転換を示す図である。
【発明を実施するための形態】
【００１３】
以下、本発明の実施形態を図面に基づいて説明する。
【００１４】
図２を参照する。図２は、本発明の一実施形態によるデュアルモードタブレットの構造を示すブロック図である。図２に示すように、本発明のデュアルモードタブレット２００は、ペンタッチ操作および指タッチ操作の二つの操作モードを有する。また、デュアルモードタブレット２００は、静電容量方式、抵抗膜方式、赤外線方式などの感応方式によるものである。本発明のデュアルモードタブレット２００は、単独で稼動させる外に、ディスプレイ、携帯電話、パソコンなどの異なる装置に応用することができる。ディスプレイユニットにさらに強く結合させることもできる。以下、デュアルモードタブレット２００本体に説明を加えるが、これのみに限定されるものではない。二つの操作モードは、タッチペンによる電磁誘導モード、および指タッチによるタッチ感応モードである。
【００１５】
デュアルモードタブレット２００は、マイクロプロセッサ２１０、アンテナモジュール２２０、電磁誘導モジュール２３０およびタッチ感応モジュール２４０を含む。マイクロプロセッサ２１０は、電磁誘導モジュール２３０およびタッチ感応モジュール２４０に電気的に接続している。アンテナモジュール２２０は、電磁誘導モジュール２３０またはタッチ感応モジュール２４０に選択的に接続される。
【００１６】
電磁誘導モジュール２３０がアンテナモジュール２２０に接続されると、アンテナモジュール２２０は、ペンがデュアルモードタブレット２００に近づいて発生する電磁誘導信号を受信する。アンテナモジュール２２０は、複数の第１方向信号線２２１および複数の第２方向信号線２２２からなる。
【００１７】
図３を参照する。図３は、本発明の実施形態の第１方向の信号線および第２方向の信号線を示す図である。図３に示すように、点線に囲まれた部分が第１方向信号線２２１および第２方向信号線２２２である。第１方向信号線２２１および第２方向信号線２２２は、それぞれ異なる層に属している。図３は、上方からデュアルモードタブレット２００を見たものであるため、第１方向信号線２２１および第２方向信号線２２２が重なって網目状になって見える。
【００１８】
第１方向信号線２２１は、水平軸（図３のＸ軸）上に並設された信号線であり、総量がｎ個である。第２方向信号線２２２は、垂直軸（図３のＹ軸）上に並設された信号線であり、総量がｎ個である。電磁誘導モジュール２３０は、第１方向信号切換装置２３１、第１方向信号連接ユニット２３２、第２方向信号切換装置２３３および第２方向信号連接ユニット２３４をさらに含む。第１方向信号連接ユニット２３２およびタッチ感応モジュール２４０が同時に第１方向信号線２２１に接続しているのを表すために、図３において、バスを介してそれぞれ第１方向信号連接ユニット２３２およびタッチ感応モジュール２４０に接続されている。
【００１９】
マイクロプロセッサ２１０は、第１方向信号切換装置２３１、第１方向信号連接ユニット２３２、第２方向信号切換装置２３３および第２方向信号連接ユニット２３４にそれぞれ電気的に接続されている。信号線をはっきり定義するため、第１方向信号線２２１をＸａとする。Ｘは、第１方向信号線２２１で、ａは、１〜ｍまでの任意の１つで、ｍは、自然数である。同様に、第２方向信号線２２２をＹｂとする。Ｙは、第２方向信号線２２２で、ｂは、１〜ｎまでの任意の１つで、ｎは、自然数である。
【００２０】
各第１方向信号線２２１は、両方の端部がそれぞれ第１方向信号切換装置２３１および第１方向信号連接ユニット２３２に電気的に接続されている。各第２方向信号線２２２は、両方の端部がそれぞれ第２方向信号切換装置２３３および第２方向信号連接ユニット２３４に電気的に接続されている。本発明の実施形態における電磁誘導およびタッチ感応という操作モード下でアンテナモジュール２２０も相応な感応処理を行なう（以下で説明を加える）。
【００２１】
図４を参照する。図４は、本発明の実施形態の第１方向の信号線、第１方向の信号切換装置および第１方向の信号連接ユニットを示す図である。図４中の隣り合わせの二つのＸａ、Ｘａ＋１を用いて説明を加えるが、実際には異なる演算法で第１方向信号線２２１から任意で２本選択して以下の処理を行うこともできる。例えば、マイクロプロセッサ２１０は、大きな間隔をもって二つのＸａ、Ｘａ＋３を選択してスキャン速度を加速させることができる。第２方向信号線２２２の選択も第１方向信号線２２１と同様であるため、説明を割愛する。
【００２２】
上記のように、第１方向信号線２２１は、一方の端部が第１方向信号切換装置２３１に接続している。マイクロプロセッサ２１０は、選択した第１方向信号線Ｘａ＋１を第１方向信号切換装置２３１のデジタル-アナログ転換器に接続し、Ｘａは第１方向信号切換装置２３１の接地点に接続する。第１方向信号線２２１は、もう一方の端部が第１方向信号連接ユニット２３２に接続している。同様に、Ｙｂ、Ｙｂ＋１の両方の端部は、それぞれ第２方向信号切換装置２３３および第２方向信号連接ユニット２３４に接続する。
【００２３】
図５を参照する。図５は、本発明の実施形態の電磁誘導モードの信号受信動作を示す図である。図５に示すように、デュアルモードタブレット２００が電磁誘導モードの場合、マイクロプロセッサ２１０が順番に上記の第１方向信号線２２１(図３参照)の選択を行い、第１方向信号連接ユニット２３２に選択した二つの第１方向信号線２２１を短絡させる。マイクロプロセッサ２１０は、第２方向信号線２２２(図３参照)に対しても上記の選択を行い、第２方向信号連接ユニット２３４に選択した二つの第２方向信号線２２２を短絡させる。マイクロプロセッサ２１０がスキャンする度に各位置の短絡状況によりタッチペン２５１が接近しているかどうか判断することができる。
【００２４】
図６を参照する。図６は、本発明の実施形態のタッチ感応モードの信号受信動作を示す図である。図６に示すように、黒の太線がタッチ入力信号が第２方向の信号線を経てバスによりタッチ感応モジュール２４０に接続する。デュアルモードタブレット２００がタッチ感応モードの場合、マイクロプロセッサ２１０がタッチ感応モジュール２４０にタッチ入力信号の受信をさせる。マイクロプロセッサ２１０は、アンテナモジュール２２０をオフにし、電磁誘導モジュール２３０に接続する。これと同時に、タッチ感応モジュール２４０がアンテナモジュール２２０に接続する。タッチ感応モード下において、アンテナモジュール２２０は、指２５２がデジタルタブレットをタッチした際に発生する静電容量変化を、指２５２の位置を検出するデータとする。第１方向信号線２２１および第２方向信号線２２２の配置方法は、網状構造（図３参照）であるため、デュアルモードタブレット２００がタッチされると第１方向信号線２２１と第２方向信号線２２２との間の距離が変化し、該当位置に静電容量変化が現れる。タッチ感応モジュール２４０は、静電容量変化により指２５２の位置を判断することができる。
【００２５】
図７および図８を参照する。図７は、本発明の実施形態の工程を示す流れ図である。図８は、本発明の実施形態のモード転換を示す図である。図７および図８に示すように、本発明の信号検出および切換方法は、ステップＳ３１０、ステップＳ３２０、ステップＳ３３０、ステップＳ３４０およびステップＳ３５０を含む。ステップＳ３１０は、マイクロプロセッサがアンテナモジュールを電磁誘導モジュールに接続して電磁誘導信号を受信する。ステップＳ３２０は、マイクロプロセッサが電磁誘導信号を受信した後、タッチ感応モードを実行する。ステップＳ３３０は、タッチ感応モードにおいて、マイクロプロセッサが順番にアンテナモジュールをタッチ感応モジュールまたは電磁誘導モジュールの任意の一つに接続してタッチ感応信号または電磁誘導信号を受信する。ステップＳ３４０は、タッチ感応モードにおいて、電磁誘導信号の受信と同時にマイクロプロセッサが電磁誘導モードに切り換え、電磁誘導信号の受信が終了すると、タッチ感応モードに戻す。ステップＳ３５０は、タッチ感応モードにおいて、タッチ感応信号の受信が終了すると、電磁誘導モードを実行する。
【００２６】
本発明の実施形態のデュアルモードタブレット２００は、電磁誘導モードまたはタッチ感応モードに切替えることができる。異なるモードにおいて、相応の信号受信処理を行う。まず、デュアルモードタブレット２００が稼動を始めると、電磁誘導モジュール２３０をアンテナモジュール２２０に接続させて電磁誘導モードを実行させる（Ｓ３１０に対応）。デュアルモードタブレット２００が電磁誘導モードになると、マイクロプロセッサ２１０がアンテナモジュール２２０および電磁誘導モジュール２３０を介してタッチペン２５１の移動中の電磁誘導信号を受信する。
【００２７】
マイクロプロセッサ２１０が電磁誘導モードを実行すると、マイクロプロセッサ２１０が第１のループLoop1で持続的に電磁誘導信号の入力の有無を探知する。マイクロプロセッサ２１０が第１のループLoop1中に電磁誘導信号の入力を検出すると、マイクロプロセッサ２１０は、再び第１のループLoop1で持続的に電磁誘導信号の入力の有無を検出する。要するに、マイクロプロセッサ２１０は、新しい電磁誘導信号を検出すると、再度検出を繰り返し、第１のループLoop1で電磁誘導信号の入力の有無を検出する。図８を参照する。図８に示すように、マイクロプロセッサ２１０が第１のループLoop1中に電磁誘導信号の入力を検出すると、電磁誘導モードを継続する。マイクロプロセッサ２１０が第１のループLoop1で電磁誘導信号を検出しなかった場合は、マイクロプロセッサ２１０は、電磁誘導モードを離れ、タッチ感応モードを実行する（Ｓ３２０に対応）。第１のループLoop1の所要時間は、デュアルモードタブレット２００の面積または信号線の数量によって決めることができる。
【００２８】
タッチ感応モードにおいて、マイクロプロセッサ２１０は、順番にアンテナモジュール２２０をタッチ感応モジュール２４０または電磁誘導モジュール２３０の任意の一つに接続する。マイクロプロセッサ２１０は、第２のループLoop２中にタッチ入力信号または電磁誘導信号の有無を検出する。本発明のデュアルモードタブレット２００は、タッチ感応モードにおいて、まずタッチ感応モジュール２４０をアンテナモジュール２２０に接続する。次に、マイクロプロセッサ２１０がアンテナモジュール２２０を電磁誘導モジュール２３０に切り換える。要するに、マイクロプロセッサ２１０が第２のループLoop２中に順番にタッチ感応モジュール２４０および電磁誘導モジュール２３０をアンテナモジュール２２０に接続する。第２のループLoop２中に、タッチ感応モジュール２４０がアンテナモジュール２２０に接続した場合、マイクロプロセッサ２１０はタッチ感応モジュール２４０を介してタッチ入力信号を受信し、電磁誘導モジュール２３０がアンテナモジュール２２０に接続した場合、マイクロプロセッサ２１０は電磁誘導モジュール２３０を介して電磁誘導信号を受信する（Ｓ３３０に対応）。第２のループLoop２の所要時間は、デュアルモードタブレット２００の面積または信号線の数量によって決めることができる。
【００２９】
第２のループLoop２中に電磁誘導信号が受信できなかった場合、マイクロプロセッサ２１０が第１のループLoop1で持続的に電磁誘導信号の有無を検出する。マイクロプロセッサ２１０が第１のループLoop1で再び電磁誘導信号を受信した場合、マイクロプロセッサ２１０が第１のループLoop1で持続的に電磁誘導信号の有無を検出する。第１のループLoop1中に新しい電磁誘導信号が受信できなかった場合、マイクロプロセッサ２１０は、改めて電磁誘導モードに変わる。デュアルモードタブレット２００上でユーザーが指２５２でタッチするのと同時にタッチペン２５１がデュアルモードタブレット２００に近づいた場合、デュアルモードタブレット２００は、優先的にタッチペン２５１の電磁誘導信号を受信する。これにより、デュアルモードタブレット２００においてタッチペン２５１が使用される際、指２５２のタッチペン２５１に対するノイズを減少させることができる。このノイズ防止機能は、パームレジェクション（Palm rejection）と呼ばれる。
【００３０】
第２のループLoop２において、上記の形態以外に、以下の異なる形態を有することもできる。第２のループLoop２中で電磁誘導信号を受信した場合、マイクロプロセッサ２１０は、第１のループLoop1に切替を行なうと同時に、第２のループLoop２の残り時間を記録する。マイクロプロセッサ２１０は、第１のループLoop1終了後、新しい電磁誘導信号が受信できなかった場合、第２のループLoop２に戻り、残りの処理を行い、タッチ入力信号の検出を続ける。上記の実施形態と異なるのは、マイクロプロセッサ２１０が第１のループLoop1の終了後、第２のループLoop２に戻り、未完成の工程を終了させることである。
【００３１】
本発明の実施形態のデュアルモードタブレット２００は、一つのアンテナモジュール２２０を介して同時にタッチペン２５１および指２５２の入力信号を受信することができる。これにより、二つの異なる入力方式が必要とするデバイス、製造コストおよび修理コストを削減することができる。
【００３２】
本発明では好適な実施形態を前述の通りに開示したが、これらは決して本発明を限定するものではなく、当該技術を熟知する者は誰でも、本発明の精神と領域を脱しない範囲内で各種の変更や修正を加えることができる。従って、本発明の保護の範囲は、特許請求の範囲で指定した内容を基準とする。
【符号の説明】
【００３３】
１００  デュアルモードタブレット
１１１  電磁誘導信号受信モジュール
１１２  アンテナモジュール
１２１  タッチ感応モジュール
１３１  処理ユニット
１４１  ディスプレイユニット
１５１  ディスプレイドライバ
２００  デュアルモードタブレット
２１０  マイクロプロセッサ
２２０  アンテナモジュール
２２１  第１方向信号線
２２２  第２方向信号線
２３０  電磁誘導モジュール
２３１  第１方向信号切換装置
２３２  第１方向信号連接ユニット
２３３  第２方向信号切換装置
２３４  第２方向信号連接ユニット
２４０  タッチ感応モジュール
２５１  タッチペン
２５２  指
Loop１  第１のループ
Loop２  第２のループ
【図２】
2013069270.tif 000003
【図３】
2013069270.tif 000004
【図４】
2013069270.tif 000005
【図５】
2013069270.tif 000006
【図６】
2013069270.tif 000007
【図７】
2013069270.tif 000008
【図８】
2013069270.tif 000009
【図１】
2013069270.tif 000010